(57)【要約】【課題】  電源オフ状態にて他機器から選局制御された場合でも、ユーザが電源オン操作した際は最後に電源オフ操作したときのラストＣＨに選局し直して電源オンするテレビジョン受信機、または、電源オフ中に外部機器から選局制御されたことをユーザに明示するテレビジョン受信機を提供する。【解決手段】  ＳＴＢ１１は、ユーザの電源オフ操作に伴い、自身の電源をオフする。このとき、ＳＴＢ１１は、最後に選局していた「ラストチャンネル」を記憶する（ステップＳ３２）。電源オフ状態でも、ＳＴＢ１１のＩＥＥＥ１３９４インターフェース部１１５は、通電されており、この状態でもＤ−ＶＨＳ１２からＩＥＥＥ１３９４バス１３を介して、制御を受け付けるようになっている。ユーザが電源オン操作したとき、ＳＴＢ１１はユーザが電源オフ操作した際に記憶したラストチャンネルに選局し直して、処理を終了する。【選択図】  図３
2006324765.tif 000002
【特許請求の範囲】
【請求項１】
バスによって接続された複数の外部機器間とインテリジェンスな通信を行うネットワークシステムのインターフェースを有し、前記バスを介して前記外部機器からのチャンネル選局制御を受け付ける選局被制御手段を備えるテレビジョン受信機であって、
電源オフした際に最後に視聴していたチャンネルを記憶しておき、電源オフ状態にて他の前記外部機器からバスを介して選局制御された場合においても、ユーザが電源オン操作した際にラストチャンネルに自動的に選局し直すことを特徴とするテレビジョン受信機。
【請求項２】
ユーザに対して警告や確認のメッセージを出力するＯＳＤを含む合図手段を備え、
前記合図手段は、記憶した前記ラストチャンネルに自動的に選局し直す際に、事前に前記警告または確認のメッセージを出力することにより、前記ラストチャネルに戻ることをユーザに報知することを特徴とする請求項１に記載のテレビジョン受信機。
【請求項３】
バスによって接続された複数の外部機器間とインテリジェンスな通信を行うネットワークシステムのインターフェースを有し、前記バスを介して前記外部機器からのチャンネル選局制御を受け付ける選局被制御手段を備えるテレビジョン受信機であって、
ＯＳＤを含む合図手段を備え、
前記合図手段は、電源オフ状態にて他の前記外部機器から前記バスを介して選局制御された場合、ユーザが電源オン操作した際に、ユーザに対して外部機器から選局制御されたことを報知することを特徴とするテレビジョン受信機。
【請求項４】
前記バスがＩＥＥＥ１３９４シリアルバスであることを特徴とする請求項１から請求項３のいずれか１項に記載のテレビジョン受信機。
【発明の詳細な説明】
【技術分野】
【０００１】
本発明は、シリアルバスインターフェースを備えるテレビジョン受信機に関し、ＩＥＥＥ１３９４シリアルバス等に接続された外部機器によりチャンネル選局制御されるテレビジョン受信機に関する。
【背景技術】
【０００２】
従来、例えば、デジタルＳＴＢやデジタルテレビジョン等と、Ｄ−ＶＨＳビデオデッキやＡＶ−ＨＤＤレコーダ等と、をＩＥＥＥ１３９４シリアルバスで接続することにより、デジタルビデオ信号やデジタルオーディオ信号、または制御信号等のパケットを送受信するシステムが存在している。
【０００３】
上記のようなシステムの応用技術として、例えば、オンスクリーンディスプレイ（ＯＳＤ）を利用して、その画面上でユーザが操作することによって他機器をリモートコントロールするデジタルテレビジョンや、デジタルＳＴＢを制御して予約録画動作を実現するＤ−ＶＨＳビデオデッキなどが考えられている。
【０００４】
これらの機能を実現するために、他機器を制御する手段としてＡＶ／Ｃコマンドが利用されている。ＡＶ／Ｃコマンドは、ＩＥＥＥ１３９４シリアルバスに接続されたデジタルＡＶ機器を他機器からリモート制御することを目的として、１３９４  Ｔｒａｄｅ  Ａｓｓｏｃｉａｔｉｏｎによって規格化されたコマンドセットである。
【０００５】
ＡＶ／Ｃコマンドでは、機器（ユニット）共通のコマンド（Ｕｎｉｔ  Ｃｏｍｍａｎｄ）がＡＶ／Ｃ  Ｇｅｎｅｒａｌ規格により定義されており、機器本体の電源制御コマンド（ＰＯＷＥＲ  Ｃｏｎｔｒｏｌコマンド）はこれに相当する。
【０００６】
また、機種固有の機能をサブユニットとして扱い、それぞれのサブユニット毎に制御コマンド（Ｓｕｂｕｎｉｔ  Ｃｏｍｍａｎｄ）が定義されている。例えば、デジタルＳＴＢに搭載されるチューナサブユニット（Ｔｕｎｅｒ  Ｓｕｂｕｎｉｔ）には、チャンネル選局を行うための選局制御コマンド（ＳＥＬＥＣＴ  Ｃｏｎｔｒｏｌコマンド）などが定義されている。
【０００７】
ここでは、上記システムの応用技術として、デジタルＳＴＢ（以下、ＳＴＢという）が出力するデジタルＡＶ（Ａｕｄｉｏ／Ｖｉｄｅｏ）信号をＤ−ＶＨＳビデオデッキ（以下、Ｄ−ＶＨＳという）で記録する予約録画機能において、ユーザがＤ−ＶＨＳ側に予約内容を設定し、Ｄ−ＶＨＳがＳＴＢを制御することで予約録画動作を実現する場合（Ｄ−ＶＨＳが制御側、ＳＴＢが被制御側の場合）の技術について一例として、以下に説明する。
【０００８】
ユーザが、Ｄ−ＶＨＳ側に録画予約を設定すると、Ｄ−ＶＨＳは予約待機状態となり、現在時刻がユーザ指定の録画開始時刻になるまで待機する。録画開始時刻の少し前になると、Ｄ−ＶＨＳは、ＳＴＢに対してＡＶ／ＣコマンドＳｕｂｕｎｉｔ  ＣｏｍｍａｎｄのＰＯＷＥＲ  Ｃｏｎｔｒｏｌコマンド［ＯＮ］を送信し、ＳＴＢのＴｕｎｅｒ  Ｓｕｂｕｎｉｔの内部電源をオンし、ＳＴＢがデジタルＡＶ信号を出力可能な状態にする。
【０００９】
その後、ＡＶ／ＣコマンドＳｕｂｕｎｉｔ  ＣｏｍｍａｎｄのＳＥＬＥＣＴ  Ｃｏｎｔｒｏｌコマンドを送信し、ＳＴＢをユーザ指定の録画チャンネルに選局する。被制御側のＳＴＢはＤ−ＶＨＳからの制御コマンドに従って自身を動作させるだけである。録画開始時刻になると、Ｄ−ＶＨＳは自身を録画状態とし、ＳＴＢが出力するデジタルＡＶ信号の記録を開始する。ここまでが予約録画開始のシーケンスである。
【００１０】
次に、現在時刻がユーザ指定の録画終了時刻になると、Ｄ−ＶＨＳは、自身を停止状態とし、ＳＴＢが出力するデジタルＡＶ信号の記録を終了する。その後、ＳＴＢに対してＡＶ／ＣコマンドＴｕｎｅｒ  ＳｕｂｕｎｉｔのＰＯＷＥＲ  Ｃｏｎｔｒｏｌコマンド［ＯＦＦ］を送信し、ＳＴＢのＴｕｎｅｒ  Ｓｕｂｕｎｉｔを予約録画開始前の電源オフ状態に戻す。このように、特許文献１，２に開示されている技術と同様に、ＳＴＢは、自身で選局した最後のチャネル（以下、「ラストＣＨ」という）を記憶して、外部制御で選局されるが、上述したように、ＳＴＢはＤ−ＶＨＳからのＡＶ／Ｃコマンドによる制御に従って自身を動作させて、予約録画動作を実現させている。
【特許文献１】実公平５−５６９７号公報
【特許文献２】特開２００４−２４８１４０号公報
【発明の開示】
【発明が解決しようとする課題】
【００１１】
しかしながら、従来の技術で説明した応用技術例では、Ｄ−ＶＨＳの予約録画動作で選局制御されたＳＴＢは、予約録画されたチャンネルがラストＣＨとなり、予約録画動作後にユーザが電源オンの操作がされた際は、予約録画されたチャンネルであるラストＣＨが選局されることになってしまう。
【００１２】
すなわち、予約録画機能は、一般的に留守録として使用されることが多いことを考慮すると、ユーザが無意識の状態で予約録画が動作する場合がほとんどであり、ユーザが電源オン操作した際に選局されるチャンネルが電源オフ操作したときのチャンネルと別のチャンネルなってしまうという問題がある。
【００１３】
そこで、本発明は、上記従来の問題点に鑑みて提案されたものであって、電源オフ状態にて他機器から選局制御された場合でも、ユーザが電源オン操作した際は最後に電源オフ操作したときのラストＣＨに選局し直して電源オンするテレビジョン受信機、または、電源オフ中に外部機器から選局制御されたことをユーザに明示するテレビジョン受信機を提供することを目的とする。
【課題を解決するための手段】
【００１４】
上記課題を解決するために、本発明に係るテレビジョン受信機は、以下の構成からなり、以下のような特徴を備えている。
【００１５】
本発明に係るテレビジョン受信機は、バスによって接続された複数の外部機器間とインテリジェンスな通信を行うネットワークシステムのインターフェースを有し、前記バスを介して前記外部機器からのチャンネル選局制御を受け付ける選局被制御手段を備えるテレビジョン受信機であって、電源オフした際に最後に視聴していたチャンネルを記憶しておき、電源オフ状態にて他の前記外部機器からバスを介して選局制御された場合においても、ユーザが電源オン操作した際にラストチャンネルに自動的に選局し直すことを特徴とする。
【００１６】
また、本発明に係るテレビジョン受信機は、ユーザに対して警告や確認のメッセージを出力するＯＳＤを含む合図手段を備え、前記合図手段は、記憶した前記ラストチャンネルに自動的に選局し直す際に、事前に前記警告または確認のメッセージを出力することにより、前記ラストチャネルに戻ることをユーザに報知することを特徴とする。
【００１７】
また、本発明に係るテレビジョン受信機は、バスによって接続された複数の外部機器間とインテリジェンスな通信を行うネットワークシステムのインターフェースを有し、前記バスを介して前記外部機器からのチャンネル選局制御を受け付ける選局被制御手段を備えるテレビジョン受信機であって、ＯＳＤを含む合図手段を備え、前記合図手段は、電源オフ状態にて他の前記外部機器から前記バスを介して選局制御された場合、ユーザが電源オン操作した際に、ユーザに対して外部機器から選局制御されたことを報知することを特徴とする。
【００１８】
また、本発明に係るテレビジョン受信機は、前記バスがＩＥＥＥ１３９４シリアルバスであることを特徴とする。
【発明の効果】
【００１９】
以上説明したように、本発明に係るテレビジョン受信機によれば、電源オフ中に外部機器から選局制御されていたとしても、ユーザが電源オン操作したとき、最初に選局されるチャンネルが前回電源オフ操作するまでに視聴していたチャンネルと同じとなり、ユーザは、違和感なく視聴することができるという効果がある。
【００２０】
また、本発明に係るテレビジョン受信機によれば、ユーザが電源オン操作したとき、電源オフ中に外部機器から選局制御されたことをユーザに知らせることで、最後に電源オフ操作したときのチャンネルと、電源オン操作したときのチャンネルが違うという情報をユーザに提供し認識させるという効果がある。
【００２１】
さらに、本発明に係るテレビジョン受信機によれば、ユーザが電源オン操作したとき、電源オフ中に外部機器から選局制御されたことをユーザに知らせると共に、最後に電源オフ操作されたときのチャンネルに選局し直すかどうかをユーザに選択させることで、ユーザが電源オフ中に外部機器から選局制御されたことを認識していたとしても、ユーザが困惑しないようにする効果がある。
【発明を実施するための最良の形態】
【００２２】
以下、本発明に係るテレビジョン受信機の実施形態について、図面を参照しながら説明する。
【００２３】
＜本発明の第１の実施形態に係るテレビジョン受信機の説明＞
本実施形態では、本発明に係るテレビジョン受信機は、ＳＴＢを例に、以下に、説明する。
【００２４】
また、このＳＴＢを制御する側である外部機器が、Ｄ−ＶＨＳである場合を例として説明する。
【００２５】
図１は、ＩＥＥＥ１３９４シリアルバス１３に接続されたＳＴＢ１１とＤ−ＶＨＳ１２のシステム構成図である。
【００２６】
同図によれば、ＳＴＢ１１とＤ−ＶＨＳ１２は、それぞれＩＥＥＥ１３９４インターフェース部１１５、１２２を有しており、ＩＥＥＥ１３９４シリアルバス１３を介して、デジタルＡＶ（Ａｕｄｉｏ／Ｖｉｄｅｏ）信号であるパーシャルトランスポートストリーム（以下、パーシャルＴＳという）の入出力、及びＡＶ／Ｃコマンドの送受信が可能な機器である。
【００２７】
Ｄ−ＶＨＳ１２は、ＡＶ／ＣコマンドのＴｕｎｅｒ  Ｓｕｂｕｎｉｔコントローラ機能を有する制御部１２１を備えており、外部のＴｕｎｅｒ  Ｓｕｂｕｎｉｔターゲット機器を制御することが可能である。
【００２８】
一方、ＳＴＢ１１は、ＡＶ／ＣコマンドのＴｕｎｅｒ  Ｓｕｂｕｎｉｔターゲット機能を有しており、コントローラであるＤ−ＶＨＳ１２により制御される。
【００２９】
本実施形態では、Ｄ−ＶＨＳ１２は、Ｄ−ＶＨＳ１２の予約録画機能によって、ＡＶ／Ｃコマンドを発生し、ＳＴＢ１１を制御する。そして、Ｄ−ＶＨＳ１２の記録再生部１２３は、制御されたＳＴＢ１１が出力するパーシャルＴＳを記録することにより、予約録画動作を実現する。
【００３０】
まず、ＳＴＢを制御する外部機器であるＤ−ＶＨＳの予約録画動作について、図２に記載するフロー図を用いて、事前に説明しておく。
【００３１】
図２は、コントローラとなるＤ−ＶＨＳ１２の予約録画動作を示すフローチャートである。
【００３２】
Ｄ−ＶＨＳ１２の予約録画動作の基本的な制御動作は、制御部１２１にて処理される。
【００３３】
ユーザは、Ｄ−ＶＨＳ１２に備えられているリモコン（図示せず）等を用いて、Ｄ−ＶＨＳ１２の予約設定を行い、Ｄ−ＶＨＳ１２の内部時計が予約録画開始時刻になった後に予約録画動作がスタートする。
【００３４】
Ｄ−ＶＨＳ１２は、ターゲットであるＳＴＢ１１に対してＡＶ／ＣコマンドＴｕｎｅｒＳｕｂｕｎｉｔ  ＣｏｍｍａｎｄのＰＯＷＥＲ  Ｃｏｎｔｒｏｌコマンド［ＯＮ］を送信し（ステップＳ２１）、ＳＴＢ１１の内部電源をオンする。
【００３５】
次にターゲットであるＳＴＢ１１に対してＳＥＬＥＣＴ  Ｃｏｎｔｒｏｌコマンドを送信し（ステップＳ２２）、ＳＴＢ１１は、受信チャンネルをユーザが予約録画設定の際に設定した予約録画チャンネルに選局する。ＳＴＢ１１の選局が完了し、当該チャンネルのパーシャルＴＳが、ＳＴＢ１１から出力されたのを確認した後、録画動作を開始する（ステップＳ２３）。そして、制御部１２１は、予約録画時間経過したか否かを判定する（ステップＳ２４）。
【００３６】
ユーザが設定した予約録画時間が経過した後（ステップＳ２４；ＹＥＳ）、録画動作を終了する（ステップＳ２５）。
【００３７】
最後に、Ｄ−ＶＨＳ１２は、ＳＴＢ１１にＡＶ／ＣコマンドＴｕｎｅｒ  Ｓｕｂｕｎｉｔ  ＣｏｍｍａｎｄのＰＯＷＥＲ  Ｃｏｎｔｒｏｌコマンド［ＯＦＦ］を送信してＳＴＢ１１の内部電源をオフする（ステップＳ２６）。以上で予約録画動作が正常に完了する。
【００３８】
次に、ＳＴＢ１１がＤ−ＶＨＳ１２によって選局制御された際の動作を以下に、図３に記載するフロー図を用いて、説明する。
【００３９】
図３は、ＳＴＢ１１がＤ−ＶＨＳ１２によって選局制御された際の動作を示すフローチャートである。
【００４０】
ＳＴＢ１１が選局制御された際の基本動作は、制御部１１４によって処理される。本フローチャートは、本発明に係るテレビ受信機の具体的動作について示したものであり、ユーザの電源オフ操作から処理がスタートする。
【００４１】
ＳＴＢ１１は、ユーザの電源オフ操作に伴い、自身の電源をオフする（ステップＳ３１）。一般的にこの状態は、電源スタンバイ状態とも呼ばれる。このとき、ＳＴＢ１１は、最後に選局していた「ラストチャンネル」を記憶する（ステップＳ３２）。
【００４２】
電源オフ状態でも、ＳＴＢ１１のＩＥＥＥ１３９４インターフェース部１１５は、通電されており、この状態でもＤ−ＶＨＳ１２からＩＥＥＥ１３９４バス１３を介して、制御を受け付けるようになっている。コントローラとなるＤ−ＶＨＳ１２の予約録画動作の過程として、Ｄ−ＶＨＳ１２よりＡＶ／ＣコマンドＴｕｎｅｒ  Ｓｕｂｕｎｉｔ  ＣｏｍｍａｎｄのＰＯＷＥＲ  Ｃｏｎｔｒｏｌコマンド［ＯＮ］が送信され、このコマンドを受信したＳＴＢ１１の制御部１１４は、Ｔｕｎｅｒ  Ｓｕｂｕｎｉｔ部、具体的にはチューナ部１１１とＤＥＭＵＸ部の電源をオンする。この状態ではバックエンド部１１３の電源がオンしていないため、ユーザからは通常の電源オフ状態と同等に見える。
【００４３】
次に、Ｄ−ＶＨＳ１２によりＡＶ／ＣコマンドＴｕｎｅｒ  Ｓｕｂｕｎｉ  ＣｏｍｍａｎｄのＳＥＬＥＣＴ  Ｃｏｎｔｒｏｌコマンドが送信され、ＳＴＢ１１の制御部１１４は、チューナ部１１１をＤ−ＶＨＳ１２に指定された予約録画チャンネルに選局し、予約録画チャンネルのパーシャルＴＳがＩＥＥＥ１３９４インターフェース部１１５より出力される。
【００４４】
予約録画時間が経過した後、Ｄ−ＶＨＳ１２によりＡＶ／ＣコマンドＴｕｎｅｒ  Ｓｕｂｕｎｉｔ  ＣｏｍｍａｄのＰＯＷＥＲＣｏｎｔｒｏｌコマンド［ＯＦＦ］が送信され、ＳＴＢ１１のＴｕｎｅｒ  Ｓｕｂｕｎｉｔ部の電源がオフし、一連の予約録画動作が完了する（ステップＳ３３）。
【００４５】
その後、ユーザが電源オン操作したとき（ステップＳ３４）、ＳＴＢ１１はユーザが電源オフ操作した際に記憶したラストチャンネルに選局し直して、処理を終了する（ステップＳ３５）。
【００４６】
以上の制御により、ユーザが電源オン操作したときに選局されるチャンネルが前回電源オフするまでに視聴していたラストチャンネルと同じチャンネルとなり、ユーザに、違和感を与えないようにすることが可能である。
【００４７】
＜本発明の第２の実施形態に係るテレビジョン受信機の説明＞
本実施形態に係る発明は、前述の第１の実施形態に係る発明のように、電源オフ状態にて外部機器から選局制御された後、ユーザが電源オン操作したとき、前回ユーザが電源オフ操作するまでに視聴したチャンネルに選局し直すのではなく、電源オフ状態において外部機器から選局制御されたことを判定し、ユーザが電源オン制御した際に、ＯＳＤ機能などの表示手段により、ユーザに対して外部機器から選局制御されたことを報知するものである。
【００４８】
図４は、ターゲットとなるＳＴＢ１１が外部機器から選局制御された際の動作を示すフローチャートである。
【００４９】
本フローに示す処理は、ＳＴＢ１１の制御部１１４によって実行される。
【００５０】
まず、ユーザの電源オフ操作からスタートする。ＳＴＢ１１は、ユーザの電源オフ操作に従い、自身の電源をオフする（ステップＳ４１）。
【００５１】
第１の実施形態で説明したと同様に、コントローラとなるＤ−ＶＨＳ１２の予約録画動作の過程として、Ｄ−ＶＨＳ２１によりＡＶ／ＣコマンドＴｕｎｅｒ  Ｓｕｂｕｎｉｔ  ＣｏｍｍａｎｄのＰＯＷＥＲ  Ｃｏｎｔｒｏｌコマンド［ＯＮ］が送信され、ＳＴＢ１１のＴｕｎｅｒ  Ｓｕｂｕｎｉｔ部の電源がオンする。
【００５２】
次に、Ｄ−ＶＨＳ１２によりＡＶ／ＣコマンドＴｕｎｅｒ  Ｓｕｂｕｎｉｔ  ＣｏｍｍａｎｄのＳＥＬＥＣＴ  Ｃｏｎｔｒｏｌコマンドが送信され、ＳＴＢ１１は、チューナ部１１１をＤ−ＶＨＳ１２に指定された予約録画チャンネルに選局し、予約録画チャンネルのパーシャルＴＳがＩＥＥＥ１３９４インターフェース部１１５より出力される。
【００５３】
予約録画時間が経過した後、Ｄ−ＶＨＳ１２によりＡＶ／ＣコマンドＴｕｎｅｒ  Ｓｕｂｕｎｉｔ  ＣｏｍｍａｎｄのＰＯＷＥＲ  Ｃｏｎｔｒｏｌコマンド［ＯＦＦ］が送信され、ＳＴＢ１１のＴｕｎｅｒ  Ｓｕｂｕｎｉｔ部の電源がオフし、一連の予約録画動作が完了する（ステップＳ４２）。
【００５４】
その後、ユーザが電源オン操作したとき（ステップＳ４３）、制御部１１４は、電源オフ中に外部機器、この場合Ｄ−ＶＨＳ１２からＳＥＬＥＣＴ  Ｃｏｎｔｒｏｌコマンドを受信して選局したかどうかを判定する（ステップＳ４４）。もし、電源オフ中に外部機器からＳＥＬＥＣＴＣｏｎｔｒｏｌコマンドを受信して選局したのであれば（ステップＳ４４；ＹＥＳ）、ＯＳＤにより「電源オフ中に外部機器から選局制御された」旨のメッセージを表示し、ユーザに知らせて、処理を終了させる（ステップＳ４５）。なお、電源オフ中に外部機器からＳＥＬＥＣＴＣｏｎｔｒｏｌコマンドを受信しない場合はそのまま処理を終了させる（ステップＳ４４；ＮＯ）。
【００５５】
図６は、電源オフ状態にて外部機器から選局制御されたターゲット機器、本実施形態におけるＳＴＢ１１が、ユーザから電源オン操作されたとき、ユーザに対して行う選局制御された旨の合図の一例を示した図である。
【００５６】
図６に示すように、ＳＴＢ１１に接続、或いは内蔵されているモニタ画面６１は、ＯＳＤとして表示されたメッセージボックス６２を有する。この例では、メッセージボックス６２上に「電源オフ中に外部機器から選局されました。」とのメッセージ文が表示される。このメッセージ文の内容が示すように、ユーザに対して電源オフ中に外部機器から選局制御された旨の合図している。
【００５７】
なお、他の合図手段として、ターゲット機器に搭載されたＬＥＤインディケータを点灯または点滅、搭載されたブザー装置を鳴らすなどが挙げられる。
【００５８】
以上の制御により、ユーザが電源オン操作したとき、電源オフ中に外部機器から選局制御されたことをユーザに知らせることで、最後に電源オフ操作したときのラストチャンネルと、電源オン操作したときのチャンネルが違っていることをユーザに報知し、認識させることができる。
【００５９】
＜本発明の第３の実施形態に係るテレビジョン受信機の説明＞
前述の第１の実施形態に係る発明では、ユーザが電源オン操作するとき、ユーザが電源オフ操作した際に記憶したラストチャンネルに選局し直すものであったが、もしユーザが電源オフ中にＤ−ＶＨＳ２１により録画予約動作による選局制御が行われていることを認識している場合、電源オン操作後にＤ−ＶＨＳ２１に選局制御されたチャンネルになっていないと予約録画動作に失敗したのではないかと不安を与えてしまう場合がある。
【００６０】
本実施形態に係る発明は、電源オン操作後の電源オフ操作時のラストチャンネルへの選局を行う旨を事前にユーザに対して合図・確認する。
【００６１】
図５は、ターゲットとなるＳＴＢ１１が外部機器から選局制御された際の動作を示すフローチャートである。
【００６２】
本フローチャートに示す処理は、ＳＴＢ１１の制御部１１４によって処理され、ユーザの電源オフ操作からスタートする。予約録画の一連の動作の中で、ユーザが電源オン操作を行うところ（ステップＳ５４）までは第１の実施形態に係る発明と同じであるため、ここでの説明は省略する。ユーザが電源オン操作したとき（ステップＳ５４）、電源オフ中に外部機器、この場合Ｄ−ＶＨＳ１２からＳＥＬＥＣＴ  Ｃｏｎｔｒｏｌコマンドを受信して選局したかどうかを判定する（ステップＳ５５）。外部機器から選局されなかったのであれば、そのまま何もせずに処理を終了する。もし、電源オフ中に外部機器からＳＥＬＥＣＴ  Ｃｏｎｔｒｏｌコマンドを受信して選局したのであれば（ステップＳ５５；ＹＥＳ）、ＯＳＤにより「電源オフしたときの最後のチャンネルに選局し直すか？」旨のメッセージを表示する（ステップＳ５５；ＹＥＳ）。ユーザに選局し直しかどうかを選択させ、選択したかどうかを判定する（ステップＳ５７）。ユーザが選局し直すことを要求したのであれば（ステップＳ５７；ＹＥＳ）、ユーザが電源オフ操作した際に記録したラストチャンネルに選局し直し（ステップＳ５８）、処理を終了する。
【００６３】
図７は、電源オフ状態にて外部機器から選局制御されたＳＴＢ１１が、ユーザから電源オン操作されたとき、ユーザが電源オフ操作した際に記録したラストチャンネルに選局し直すかどうかをユーザに選択させるための手段として行う合図の一例を示した図である。
【００６４】
図７に示すように、ＳＴＢ１１に接続、或いは内蔵されているモニタ画面７１には、ＯＳＤとして表示されたメッセージボックス７２と、メッセージボックス７２上に重ねて表示された仮想ボタン７３と７４が表示されている。この例では、メッセージボックス６２上に「電源オフ中に外部機器から選局されました。最後に視聴していたチャンネルに選局し直しますか？」とのメッセージ文が表示される。このメッセージ文の内容が示すように、ユーザに対して、電源オフ中に外部機器から選局制御されたことを認識させる。そして、仮想ボタン７３上には「はい」とのメッセージ文が表示されており、このボタンを選択すると、最後に視聴していたチャンネルに選局し直すための情報が制御部１１４に伝わり、最後に視聴していたチャンネルに選局し直しが行われる。一方、仮想ボタン７４上には「いいえ」とのメッセージ文が表示されている。つまり、このボタンを選択すると、最後に視聴していたチャンネルに選局し直しを行わずに、電源オフ中に外部機器から選局制御されたチャネルをユーザに選択させることができる。
【００６５】
以上の制御により、ユーザが電源オン操作したとき、電源オフ中に外部機器から選局制御されたことをユーザに知らせると共に、最後に電源オフ操作されたときのラストチャンネルに選局し直すかどうかをユーザに選択させることで、ユーザが電源オフ中に外部機器から選局制御されたことを認識していたとしても、ユーザを困惑させないようにすることが可能である。
【図面の簡単な説明】
【００６６】
【図１】ＩＥＥＥ１３９４シリアルバス１３に接続されたＳＴＢ１１とＤ−ＶＨＳ１２のシステム構成図である。
【図２】コントローラとなるＤ−ＶＨＳ１２の予約録画動作を示すフローチャートである。
【図３】ＳＴＢ１１がＤ−ＶＨＳ１２によって選局制御された際の動作を示すフローチャートである。
【図４】ターゲットとなるＳＴＢ１１が外部機器から選局制御された際の動作を示すフローチャートである。
【図５】ターゲットとなるＳＴＢ１１が外部機器から選局制御された際の動作を示すフローチャートである。
【図６】電源オフ状態にて外部機器から選局制御されたＳＴＢ１１が、ユーザにより電源オン操作されたとき、ユーザに対して行う選局制御された旨の合図の一例を示した図である。
【図７】電源オフ状態にて外部機器から選局制御されたＳＴＢ１１が、ユーザにより電源オン操作されたとき、ユーザが電源オフ操作した際に記録したラストチャンネルに選局し直すかどうかをユーザに選択させるための合図の一例を示した図である。
【符号の説明】
【００６７】
１１      デジタルＳＴＢ
１２      Ｄ−ＶＨＳビデオデッキ
１３      ＩＥＥＥ１３９４シリアルバス
１４      アンテナ
１１１    チューナ部
１１２    ＤＥＭＵＸ部
１１３    バックエンド部
１１４    制御部
１１５    ＩＥＥＥ１３９４インターフェース部
１２１    制御部
１２２    ＩＥＥＥ１３９４インターフェース部
１２３    記録再生部
６１      モニタ画面
６２      メッセージボックス
７１      モニタ画面
７２      メッセージボックス
７３      仮想ボタン
７４      仮想ボタン
【図１】
2006324765.tif 000003
【図２】
2006324765.tif 000004
【図３】
2006324765.tif 000005
【図４】
2006324765.tif 000006
【図５】
2006324765.tif 000007
【図６】
2006324765.tif 000008
【図７】
2006324765.tif 000009